(57)【特許請求の範囲】
【請求項１】
ロープに吊り下げられた貝、昆布、網篭、差し網のいずれかの被洗浄物（３）に洗浄液を噴射してそれら被洗浄物（３）を洗浄する洗浄装置がケース（１４）内に収容されて被覆され、ケース（１４）は被洗浄物（３）を洗浄した汚水や洗浄により被洗浄物（３）から落下した付着物等を回収する回収容器を兼ねており、ケース（１４）には被洗浄物（３）が導入されるケース入口（１５）と被洗浄物（３）が送り出されるケース出口（１６）とが形成され、ケース（１４）のうちケース入口（１５）とケース出口（１６）との間の側面（１４ａ）に側面導入口（１７）が形成され、側面導入口（１７）は被洗浄物（３）をケース（１４）の側面（１４ａ）からケース（１４）内に出し入れできるようにケース入口（１５）とケース出口（１６）とに連通して横向きに形成され、側面導入口（１７）に多数本の繊維状のカーテン材を縦に配列した洗浄液飛散防止カーテン（１９）を設けて、ケース（１４）で被洗浄物（３）に噴射される洗浄液や被洗浄体から洗い落された汚物が側面導入口（１７）から外側に飛散しないようにしたことを特徴とする貝、昆布、網篭、差し網の洗浄装置。
【請求項２】
請求項１記載の貝、昆布、網篭、差し網の洗浄装置において、ケース（１４）内に、被洗浄物（３）を搬送する搬送体（１）と、搬送体（１）で搬送される被洗浄物（３）を押さえる押し具（２）と、搬送体（１）と押し具（２）との間を通過する被洗浄物（３）に洗浄液を吹き付けて被洗浄物（３）を洗浄する洗浄具（４）が収容されたことを特徴とする貝、昆布、網篭、差し網の洗浄装置。
【発明の詳細な説明】
【０００１】
【発明の属する技術分野】
本発明はロープに吊下げて耳吊り養殖した帆立貝、あこや貝、牡蠣、或は網篭に入れて海中で養殖した貝、或は昆布に付着している汚れを洗浄して除去するのに使用される洗浄装置に関するものであり、それらを船上で洗浄するのに適したものである。
【０００２】
【従来の技術】
帆立貝、あこや貝、牡蠣等の一部は耳吊り養殖されている。養殖は貝の耳に開けた穴に樹脂製のてぐすや係止ピンを通し、そのてぐすや係止ピンを縦ロープに間隔をあけて多数差し込んで係止し、その縦ロープを海中の水面近くに横向きに張った横ロープに係止して海中に吊下げて行われる。
【０００３】
耳吊り養殖では貝を海中に吊しておく間に、貝の表面にムラサキイガイとか他の貝、或は海草や海中の塵芥、生物等が付着する。これらが付着すると貝の成長に好ましくなく、また、出荷時には汚れて体裁が悪いので、養殖の途中で貝を海から引上げて洗浄して汚れや付着物を除去したりしている。貝を網篭に入れて海中で養殖する場合も、その網篭や貝に前記のような塵芥、生物等が付着する。
【０００４】
耳吊り養殖中の貝を洗浄する場合、従来は、図１３、１４に示すような洗浄装置が使用されていた。図１３の洗浄装置は船舶に搭載して使用するものであり、貝Ａが係止されている縦ロープＢを海中Ｃから回転案内体Ｄの回転により引上げ、その縦ロープＢを貝Ａがついたまま網製の搬送コンベアＥの上に送り込むと、縦ロープＢ及び貝Ａが搬送コンベアＥとその上の櫛状の押し具Ｆとの間に挟まれて図の右側に搬送され、その間に搬送コンベアＥの内側に配置された回転ノズルＧから高圧洗浄液（例えば海水）が噴射されて、縦ロープＢ及び貝Ａの表面が洗浄されるようにしたものである。
【０００５】
図１４の洗浄装置も船舶に搭載して使用するものであり、図１３の場合と同様に貝Ａが係止されている縦ロープＢを海中Ｃから回転案内体Ｄの回転により引上げ、その縦ロープＢを貝Ａがついたまま網製の搬送コンベアＥと、その上の網製の押しコンベアＨとの間に送り込むと、縦ロープＢ及び貝Ａが両コンベアＥ、Ｈ間に挟まれて図の右側に搬送され、その間に夫々のコンベアＥ、Ｈの内側に配置された回転ノズルＧから高圧洗浄液が噴射されて、縦ロープＢ及び貝Ａの表面が洗浄されるようにしたものである。
【０００６】
【発明が解決しようとする課題】
図１３、１４の洗浄装置は大型で、重いため、船に積みにくいとか、船から降ろしにくいとか、設置に場所をとるといった不都合があった。また、海中から引上げた貝が洗浄中にロープから外れたり、欠け易いとか、割れ易いといったこともあった。
【０００７】
本発明の目的は、小型、軽量化が可能であり、貝への付着物の除去や貝の洗浄力に優れ、耳吊り養殖の貝だけではなく、網篭に入れて海中に吊して養殖した貝を網篭ごと洗浄したり、差し網を洗浄したり、海中から採取した昆布を洗浄したりすることもできる多用途の洗浄装置を提供することにある。
【０００８】
【課題を解決するための手段】
本発明の第１の貝、昆布、網篭、差し網の洗浄装置は、図１の様にロープに吊り下げられた貝、昆布、網篭のいずれかの被洗浄物３に洗浄液を噴射してそれら被洗浄物３を洗浄する洗浄装置がケース１４内に収容されて被覆され、ケース１４は被洗浄物３を洗浄した汚水や洗浄により被洗浄物３から落下した付着物等を回収する回収容器を兼ねており、ケース１４には被洗浄物３が導入されるケース入口１５と被洗浄物３が送り出されるケース出口１６とが形成され、ケース１４のうちケース入口１５とケース出口１６との間の側面１４ａに側面導入口１７が形成され、側面導入口１７は被洗浄物３をケース１４の側面１４ａからケース１４内に出し入れできるようにケース入口１５とケース出口１６とに連通して横向きに形成され、側面導入口１７に多数本の繊維状のカーテン材を縦に配列した洗浄液飛散防止カーテン１９を設けて、ケース１４で被洗浄物３に噴射される洗浄液や被洗浄体から洗い落された汚物が側面導入口１７から外側に飛散しないようにしたものである。
【０００９】
本発明の第２の貝、昆布、網篭、差し網の洗浄装置は、請求項１記載の貝、昆布、網篭、差し網の洗浄装置において、ケース１４内に、被洗浄物３を搬送する搬送体１と、搬送体１で搬送される被洗浄物３を押さえる押し具２と、搬送体１と押し具２との間を通過する被洗浄物３に洗浄液を吹き付けて被洗浄物３を洗浄する洗浄具４が収容されたものである。
【００１０】
【００１１】
【発明の実施の形態】
（実施形態１）
本発明の貝、昆布、網篭、差し網の洗浄装置を第１の実施形態を図１〜図１２に基づいて説明する。この実施形態の貝、昆布、網篭、差し網の洗浄装置は被洗浄物が図１に示すように耳吊り養殖用の縦ロープ２０及びそれに取り付けられた帆立貝２１（以下、両者を合わせて被洗浄物３と記す）の場合の例である。この洗浄装置は被洗浄物３を搬送する無端コンベア状の搬送体１の上に、無端コンベア状の押し具２を対向して配置し、両者間を通過する被洗浄物３に高圧の洗浄液を噴射して被洗浄物３を洗浄する洗浄具４を搬送体１と押し具２の外側に設けてある。
【００１２】
図１、図２のように筐体１００のフレーム（筐体フレーム）に取り付けられた搬送体１、押し具２、洗浄具４等は、図１、図２に示す様に上下のケース１４で被覆されている。下のケース１４は上下のケース１４内で被洗浄物３を洗浄した汚水や洗浄により被洗浄物３から落下した付着物等を回収する回収容器を兼ねており、下のケース１４の底からは排水路１８を突設してそれに排水用のホースを接続できるようにしてあり、前記の汚水や付着物がその排水路１８から排水ホース内を通って外部に排出されるようにしてある。また、上下のケース１４には被洗浄物３を導入するための入口１５と被洗浄物３を送り出す出口１６とが開口されており、更に、上下のケース１４の側面１４ａには被洗浄物３をケース１４の横（側面１４ａ）から搬送体１と押し具２との間に出し入れするための側面導入口１７が開口されている。この側面導入口１７があると、洗浄作業の前に貝が取り付けられている長い縦ロープ２０を側面導入口１７から搬送体１と押し具２との間に出し入れすることがき、一々ケース１４の入口１５から出口１６に通す必要が無いため、洗浄作業開始前の被洗浄物３のセッティングが容易になる。側面導入口１７には多数本の繊維状のカーテン材を縦に配列した洗浄液飛散防止カーテン１９を設けて、高圧噴射される洗浄液が側面導入口１７から外側に飛散しないようにしてある。
【００１３】
搬送体１は図６に示す搬送体フレーム２２の外周に、図７に示すチェーン付金網２３を図３、図５に示す様に巻き付けてなる。
【００１４】
図６に示す搬送体フレーム２２は、駆動軸２４の外周に細長の駆動ドラム２５が設けられ、駆動ドラム２５の軸方向両外側に駆動スプロケット２６が設けられた駆動回転体２７と、従動軸２８の外周に細長の従動ドラム２９が設けられ、従動ドラム２９の軸方向両外側に従動スプロケット３０が設けられた従動回転体３１と、駆動回転体２７と従動回転体３１の間に配置されたチェーンガイド３２とから構成されている。チェーンガイド３２は上ガイド３３と下ガイド３４とを上下に対向させて配置してあり、上ガイド３３は対向させた２枚の上板３５の間に２本の上保持パイプ３６が配置固定され、その上保持パイプ３６間にそれよりも細い丸棒状の上支持材３７が３本配置固定され、下ガイド３４は対向させた２枚の下板３８の間に２本の下保持パイプ３９が配置固定され、その下保持パイプ３９間にそれよりも細い丸棒状の下支持材４０が３本（１本は手前の上板３５の下に隠れて見えない）配置固定されてなる。前記の駆動軸２４、従動軸２８は図２の筐体１００のフレーム（筐体フレーム）に回転可能に取り付けられる。
【００１５】
チェーン付金網２３は図７に示す様に、金網４１の幅方向両端にチェーン４２が固定され、更に、図８（ａ）に示す様に金網４１の交差部の隙間４３に支持棒４４を貫通し、その支持棒４４の両端をチェーン４２の内面に突き当てて溶接固定してある。支持棒４４は金網４１を支持して金網４１が下方へたるむのを防止するためのものである。支持棒４４は図８（ｂ）に示すように金網４１の網目に通すこともできる。また、支持棒４４はその両端を駆動チェーン４２に側面から差し込み、その端部に割ピンを差し込んで固定するとか、他の方法で固定することもできる。
【００１６】
このチェーン付金網２３は図６の搬送体フレーム２２の駆動回転体２７と従動回転体３１の外周に巻き付け、チェーン４２を駆動スプロケット２６と従動スプロケット３０の外周に掛けて無端コンベア状にしてあり、駆動軸２４が回転して駆動スプロケット２６が回転し、チェーン付金網２３が回転するようにしてある。また、図３、図５の様にチェーン４２の下に下板３８を配置して、チェーン４２が上板３５と下板３８との間に挟まれて走行するようにし、また、図６の下支持材４０により金網４１の底面が支持されて、当該底面が下方へたるむのを阻止するようにしてある。
【００１７】
押し具２は図９に示す押し具フレーム５０の外周に、図７に示すチェーン付金網２３を図３、図４に示す様に巻き付けてなる。
【００１８】
図９に示す押し具フレーム５０は、駆動軸５１の外周に細長の駆動ドラム５２が設けられ、駆動ドラム５２の軸方向両外側に駆動スプロケット５３が設けられた駆動回転体５４と、従動軸５５の外周に細長の従動ドラム５６が空転可能に設けられ、従動ドラム５６の軸方向両外側に従動スプロケット５７が空転可能に設けられた従動回転体５８と、駆動回転体５４と従動回転体５８の間に配置されたチェーンガイド５９とから構成されている。従動ドラム５６と従動スプロケット５７は一緒に回転（従動軸５５に対して空転）する。チェーンガイド５９は対向させた２枚のガイド板６０の間に２本の保持パイプ６１を配置固定し、その保持パイプ６１間にそれよりも細い丸棒状の支持材６２を３本配置固定してある。前記駆動軸５１は図２の筐体１００のフレーム（筐体フレーム）に回転可能に取り付けられ、従動軸５５は当該筐体フレームに固定されずにフリーの状態になっている。この場合、図１のように押し具２の導入部５を上向きにして筐体フレームに取り付け、また、押し具２の導入側先端部７を搬送体１の先端の搬送体先端部８よりも搬送方向先方（図の右側）に位置をずらしてある。導入側先端部７は搬送体先端部８と同じ位置にすることもできる。
【００１９】
図９の前記２枚のガイド板６０の手前側端部には２枚の連結アーム６３が装着軸６６により上下に回動可能に取り付けられて、その装着軸６６を回動軸としてく字状に屈曲可能なるようにしてある。この連結アーム６３の先端間には前記駆動軸５１の両端を貫通させて駆動回転体５４を回転可能に取り付けてある。２枚のガイド板６０の先端側内面と従動ドラム５６との間には螺子ボルト７９を取り付け、その外周に押しバネ６４を被せ、その螺子ボルト７９の後方に、中心部に螺子穴が貫通されている円筒状のテンション調節具６５を螺合し、そのテンション調節具６５を螺子ボルト７９に沿って回転させると押しバネ６４が圧縮されてその押圧力が強まり、螺子ボルト７９に沿って逆回転させると押しバネ６４が緩んでその押圧力が弱まるようにしてある。押しバネ６４は従動回転体５８を常時先方に押すものであり、その押圧力が強まると従動回転体５８が先方に強く押されて、その外周に被せてあるチェーン付金網２３に強いテンションが付与され、逆に押圧力が弱まると従動回転体５８が逆戻りしてチェーン付金網２３（図４）のテンションが弱まるようにしてある。
【００２０】
前記押し具フレーム５０の外周に巻き付けるチェーン付金網２３（図４）の詳細は図７に示すものであり、搬送体１（図５）に使用されたチェーン付金網２３と同じものである。このチェーン付金網２３は図９の押し具フレーム５０の駆動回転体５４と従動回転体５８の外周に巻き付けることにより、チェーン４２を駆動スプロケット５３と従動スプロケット５７の外周に掛けて無端コンベア状にしてあり、駆動軸５１が回転すると駆動スプロケット５３が回転し、その回転によりチェーン付金網２３が回転すると従動スプロケット５７が従動軸５５の外周を空転し、それと同時に従動ドラム５６も空転し、チェーン付金網２３が回転するようにしてある。
【００２１】
図４に示す様に２つの連結アーム６３から立ち上げた支持アーム６７の上部をＬ字状に曲げ、その先端間を連結軸６８により連結し、その連結軸６８の軸方向両端に押付け輪６９を回転可能に取り付け、その押付け輪６９をチェーン４２の上に押し付けて、チェーン４２及び金網４１をく字状に曲げてある。このような構造とすることにより、図１０（ａ）〜（ｄ）の様に押し具２の下を被洗浄物３が通過すると、押し具２が装着軸６６を回転軸として上方に押し上げられるようにしてある。この場合、厚い被洗浄物３が図１０（ｂ）の様に押し具２の屈曲部の下を通過すると、屈曲部が押し上げられて押し具２の導入部５と押し部６とが右下り傾斜のほぼ直線状になり、被洗浄物３が図１０（ｃ）の様に出口側の下を通過するときは押し具２の出口側が入口側よりも上方まで押し上げられて、略くの字状に屈曲する。被洗浄物３が図１０（ｄ）の様に押し具２の屈曲部と出口側の双方の下を通過するときは、押し具２の押し部６がほぼ水平になって図１０（ａ）と同様の状態、即ち、導入部５が緩やかなく字状に立ち上がり、押し部６が水平な状態になるようにしてある。
【００２２】
押し具２は前記のように、従動軸５５が筐体フレームに固定されずにフリーの状態になっているため、そのままでは押し具２の出口側が降下して搬送体１の上に接触してしまう。そこで本実施形態では押し具２の出口側が降下し過ぎて搬送体１の上に接触してしまうのを防止するために、図１１、図１２に示す様に出口下限調節機構７０を設けてある。この出口下限調節機構７０は図１１の様に押し具２のガイド板６０から外側方に係止突子７１を突設し、筐体フレーム７２から内側方にＬ字状のストッパー７３を突設し、このストッパー７３により前記係止突子７１が支持されて、ガイド板６０がそれより下がらないようにしてある。前記ストッパー７３は図１２に示す筐体フレーム７２の縦長穴７４に、図１１の様にボルト７５とナット７６とにより上下にスライド可能に取り付けて、ナット７６の螺合を緩めるとボルト７５が縦長穴７４に沿って上下にスライドして高さ調節できるようにしてある。
【００２３】
更に、図１２に示す様に、押し具２にはその屈曲部が上方に押し上げられ過ぎるのを防止するための上動規制調節機構８０が設けられている。図１２に示す様に押し具２の駆動軸５１は軸受８１の内部に挿入されて円滑に回転するようにしてあるが、駆動軸５１と軸受８１との間の摺動面に塵芥が噛み込まれて滑りが悪くなると、駆動軸５１が図１２の矢印Ｘ方向に回転するときに連結アーム６３が同方向に浮き上がることがある。この浮き上がりが著しいと押し具２の入口側が上り過ぎ（浮き過ぎ）て、搬送体１との間の間隔が広くなり過ぎてしまい、押し具２の押し部６による被洗浄物３の押えが緩くなったり、押えがきかなくなったりすることがある。図１２ではこの課題を解消するために上動規制調節機構８０を設けてある。この上動規制調節機構８０は押し具２の支持アーム６７から上方に細長の係止材８２を突設し、その係止材８２の上端部に取付けた引きバネ８３を右下方（矢印Ｙ方向）に引き下げて、押し具２の屈曲部が浮き上がるのを防止するようにしてある。
【００２４】
また、図１２の係止材８２が引きバネ８３により右下方（矢印Ｙ方向）に引き下げられたときに、強く引かれ過ぎないようにするために、引き下げ規制調節機構８５も設けてある。これは筐体フレーム７２にボルト８６を貫通させ、そのボルト８６の先にナット８７をダブルに螺合し、その先に緩衝スプリング８８を被せてある。このような構造とすることにより、引きバネ８３により右下方（矢印Ｙ方向）に引き下げられた係止材８２がボルト８６の先端に当ると、係止材８２がそれ以上は下げられないようにしてあり、これにより、押し具２の屈曲部が必要以上に降下しないようにしてある。
【００２５】
図１の洗浄具４は搬送体１と押し具２との間を通過する被洗浄物３に高圧洗浄液を噴射して洗浄するためのものであり、搬送体１の外側上方と押し具２の外側下方とに対向させて配置してある。この洗浄具４は図３に示す様に回転可能な給水パイプ９０から４本の分岐パイプ９１が均等間隔で分岐され、夫々の分岐パイプ９１の先端に噴射ノズルが取り付けられており、給水パイプ９０が回転すると分岐パイプ９１及び噴射ノズルも回転して、被洗浄物３に万遍なく洗浄液が高圧で噴射されるようにしてある。この洗浄具４も筐体フレームに回転可能に取り付けられている。
【００２６】
図１、図３に示す様に、搬送体１の入口の外側手前には回転案内体１３が配置されている。回転案内体１３は海中から引上げられる被洗浄物３をガイドして、搬送体１の入口にスムースに導入するためのものであり、円筒状の胴９５の軸方向両側に胴９５よりも径の大きな２枚の鍔９６を対向して設けてある。回転案内体１３もモータ等の駆動体で回転させる。この場合、回転案内体１３の回転速度を搬送体１の走行回転速度と同期させて、回転案内体１３の回転により海中から引上げられる被洗浄物３が搬送体１の入口にスムースに送り込まれるようにしてある。ちなみに、回転案内体１３と搬送体１との回転が同期せずに、回転案内体１３の回転速度が搬送体１の走行回転速度よりも速過ぎると、被洗浄物３がロープの場合はその送り込み量が多くなってロープが搬送体１の手前に溜って絡まり、逆に回転案内体１３の回転速度が搬送体１の走行回転速度よりも遅過ぎると、搬送体１によるロープの引込みが速くなり過ぎてロープが切れる虞れがある。搬送体１と回転案内体１３とを同期回転させるためには共通の駆動源で回転させるようにすればよい。この回転案内体１３も搬送体１、押し具２等が取り付けられている筐体フレームに取り付けられている。この場合、図１の様に上下のケース１４の入口１５よりも外側手前に取り付けて、本発明の貝、昆布、網篭、差し網の洗浄装置を船上に搭載固定したときに海上に突出するようにしてある。
【００２７】
図３の様に、搬送体１と押し具２の間の出口の外側には、その出口から送り出されてくる被洗浄体３を案内するローラ状の出口側案内体１２が配置されている。この出口側案内体１２はポール状の横案内体９２とポール状の縦案内体９３とからなり、縦案内体９３は樋状のシュータ１０の上に立設されている。この縦案内体９３はシュータ１０に回転可能に取り付けてもよく回転しない様に固定してもよい。シュータ１０は先端側を下り傾斜にしてある。搬送体１の出口９とシュータ１０との間には回収受け具１１を配置してある、この回収受け具１１は洗浄中に縦ロープ２０から外れた帆立貝２１が搬送体１の出口９から落下する位置に配置して、その帆立貝２１を回収できるようにしてある。この回収受け具１１も樋状であり、先端に向けて下り傾斜にして、回収された帆立貝２１が自重で自動的に先端方向に落下して、その先に配置してある回収篭に落下して回収されるようにしてある。これらの出口側案内体１２、シュータ１０、回収受け具１１も筐体フレームに取り付けられている。この場合、出口側案内体１２、シュータ１０、回収受け具１１は図１、２に示すケース１４の出口１６よりも外側先方に取り付けて、本発明の貝、昆布、網篭、差し網の洗浄装置を船上に搭載固定したときに、シュータ１０の出口が海上に突出するようにしてある。出口側案内体１２は横案内体９２と縦案内体９３のいずれか一方だけであってもよい。横案内体９２、縦案内体９３の取り付け箇所は、それらの機能が発揮される任意の位置に取り付けることができる。
【００２８】
（使用例）
図示した実施形態の貝、昆布、網篭、差し網の洗浄装置を用いて、耳吊り養殖用の縦ロープに帆立貝が係止されている被洗浄物を洗浄するには例えば次の様にする。
（１）本発明の貝、昆布、網篭、差し網の洗浄装置を船舶に搭載して固定する。
（２）図１のように、帆立貝２１が係止されている縦ロープ２０を海中から引上げて回転案内体１３の外周に掛ける。
（３）前記のように回転案内体１３の外周に掛けた縦ロープ２０をケース１４の側面１４ａに開口された側面導入口１７から搬送体１と押し具２との間に押込んでセットする。
（４）モータの駆動により回転案内体１３、搬送体１、押し具２を同期回転させて、搬送体１と押し具２との間に挟まれている縦ロープ２０及び帆立貝２１を出口１６側に搬送する。
（５）前記搬送中に、上下の洗浄具４から洗浄液を高圧で噴射して帆立貝２１及び縦ロープ２０を上下から洗浄する。このとき、帆立貝２１に付着しているムラサキイガイとか他の生物、或は塵芥等も除去される。
（６）洗浄されて綺麗になった帆立貝２１及び縦ロープ２０は搬送体１と押し具２の出口から送り出され、出口側案内体１２によりシュータ１０の上にガイドされ、帆立貝２１のついた縦ロープ２０がシュータ１０から海中に投入される。
（７）前記搬送中或は洗浄中に縦ロープ２０から外れた帆立貝２１は、搬送体１と押し具２の出口から送り出されたところで、回収受け具１１に落下して回収され、回収受け具１１の先に配置された回収容器に回収される。
（８）洗浄により除去された付着物及び洗浄後の汚水は、ケース１４内に落下し、ケース１４の底の排出路１８からケース１４の外部に排出され、図示されていないフィルターで濾過する等して処理される。
【００２９】
前記使用例において、押し具２の屈曲部は通常は図１０（ａ）の様に自重で下がって、導入部５と押し部６とが略水平になっているが、図１０（ｂ）の様に被洗浄物３が押し具２の屈曲部の下を通過すると、屈曲部が押し上げられるため被洗浄物３は屈曲部の下を円滑に通過する。このとき、屈曲部が押し上げられて伸びた分だけ押し具２が先方（図の右側）にスライドするため、被洗浄物３は屈曲部の下をより一層円滑に通過することができる。被洗浄物３が押し具２の出口に近付くと図１０（ｃ）の様に出口側が駆動軸５１を回転軸として押し上げられ、被洗浄物３がその下を円滑に通過する。図１０（ｄ）の様に２枚以上の帆立貝２１の付いた被洗浄物３が押し具２の下を同時に通過すると、押し具２は略水平になり、その下を被洗浄物３が円滑に通過する。搬送体１と押し具２の回転走行速度が同じ場合は両者の間を通過する被洗浄物３が円滑に走行するが、両者の回転走行速度を多少異ならせると、両者の間を通過する被洗浄物３に加わる抵抗が大きくなって、被洗浄物３の汚れが落ち易くなる場合もあるので、搬送体１と押し具２の走行速度は任意に選択することができる。
【００３０】
前記実施形態では、洗浄具４を搬送体１と押し具２の外側に配置したので、搬送体１と押し具２とを薄い回転コンベア状に形成することができ、小型、軽量化が可能となる。
【００３１】
前記実施形態では、押し具２が搬送体１との間を通過する被洗浄物３の厚さや通過位置に追随して上下に昇降可能としたので、被洗浄物３が押し具２により必要以上に強く押されることがない。このため被洗浄物３が搬送体１と押し具２の間を通過する間に欠けたり、割れたりしにくくなり、また、貝がロープから外れたりすることもない。
【００３２】
前記実施形態では、押し具２の導入部が上向きに配置され、導入部の搬送方向先方に押し部６が装着軸により上下に回動自在に連結されてなるので、搬送体１と押し具２の間に被洗浄物３が入り易くなる。
【００３３】
前記実施形態では、押し具２の前端部が搬送体１の前端部よりも先方に位置をずらして上向きに配置されてなるので、搬送体１と押し具２との間に被洗浄物３が入り易くなる。
【００３４】
前記実施形態では、押し具２及び搬送体１の出口１６より外側に、ロープから外れた被洗浄物３を回収して外部に送り出す回収受け具１１を設けたので、ロープから落下した被洗浄物３が確実に回収されて被洗浄物３の無駄がない。また、被洗浄物３を先方に案内する出口側案内体１２をもうけたので、出口から送り出される被洗浄物３が出口の先で絡まったりすることがない。シュータを設けたので被洗浄物がシュータ１０から確実に海中に送り出される。
【００３５】
前記実施形態では、搬送体の手前に回転案内体１３を設けたので、被洗浄物３が搬送体１と押し具２との間に確実に送り込まれる。また、回転案内体１３が搬送体１の走行回転と同期回転するので、被洗浄物３が搬送体１の入口に確実且つ円滑に送り込まれる。
【００３６】
前記実施形態では、搬送体１及び押し具２を収納するケース１４が回収容器を兼ねているので、ケース１４内で被洗浄物３を洗浄した汚れ洗浄液や被洗浄物３から洗い落された汚物がそのケース１４内に確実に回収され、ケース１４に設けた排出路１８から外部に排出されるので作業場が汚れにくくなる。
【００３７】
【発明の効果】
本発明の請求項１、２記載の貝、昆布、網篭、差し網の洗浄装置は、搬送体及び押し具がケースに収納され、ケースにその横から被洗浄物を出し入れ可能な側面導入口が形成されたので、被洗浄物が貝付きロープの様に長い物の場合に、その先端部を洗浄作業に先立って手作業により、側面導入口から横にスライドさせて搬送体と押し具の間に導入してセットすることができる。このため、被洗浄物を手作業により搬送体と押し具の入口から差し込んで搬送体と押し具の間を通して出口から引き出す必要がなく、洗浄作業開始前の準備が容易になる。また、ケース１４が被洗浄物３を洗浄した汚水や洗浄により被洗浄物３から落下した付着物等を回収する回収容器を兼ねているので、洗浄装置の周囲が汚れない。
【００３８】
本発明の請求項１、２記載の貝、昆布、網篭、差し網の洗浄装置は、側面導入口に多数本の繊維状のカーテン材を縦に配列した洗浄液飛散防止カーテンを設けたので、洗浄時の洗浄液や被洗浄体から洗い落された汚物が側面導入口から外に飛散することがなく、作業者は勿論、洗浄装置、作業場等が汚れない。また、繊維状のカーテン材を使用してあるのでカーテンが柔らかくなり、被洗浄物を側面導入口から搬送体と押し具との間に導入するときにカーテンが邪魔になることもない。
【図面の簡単な説明】
【図１】  本発明の貝、昆布、網篭、差し網の洗浄装置の一例を示す縦断側面図。
【図２】  本発明の貝、昆布、網篭、差し網の洗浄装置の外観斜視図。
【図３】  本発明の貝、昆布、網篭、差し網の洗浄装置の分解説明図。
【図４】  本発明における押し具の一部欠きの斜視図。
【図５】  本発明における搬送体の一部欠きの斜視図。
【図６】  本発明における搬送体フレームの分解説明図。
【図７】  本発明におけるチェーン付金網の斜視図。
【図８】  （ａ）（ｂ）本発明におけるチェーン付金網の金網に支持材を通した状態の異なる例の平面説明図。
【図９】  本発明における押し具フレームの分解説明図。
【図１０】  （ａ）〜（ｄ）は本発明の貝、昆布、網篭、差し網の洗浄装置の使用時の説明図。
【図１１】  本発明における出口下限調節機構の正面説明図。
【図１２】  本発明における上動規制調節機構と引き下げ規制機構の側面概略図。
【図１３】  従来の洗浄装置の説明図。
【図１４】  従来の洗浄装置の他例の説明図。
【符号の説明】
１  搬送体
２  押し具
３  被洗浄物
４  洗浄具
５  導入部
６  押し部
７  導入側先端部
８  搬送体先端部
９  出口
１０  シュータ
１１  回収受け具
１２  出口側案内体
１３  回転案内体
１４  ケース
１５  ケース入口
１６  ケース出口
１７  側面導入口
１８  排出路
１９  洗浄液飛散防止カーテン
【図１】
0003648224.tif 000002
【図２】
0003648224.tif 000003
【図３】
0003648224.tif 000004
【図４】
0003648224.tif 000005
【図５】
0003648224.tif 000006
【図６】
0003648224.tif 000007
【図７】
0003648224.tif 000008
【図８】
0003648224.tif 000009
【図９】
0003648224.tif 000010
【図１０】
0003648224.tif 000011
【図１１】
0003648224.tif 000012
【図１２】
0003648224.tif 000013
【図１３】
0003648224.tif 000014
【図１４】
0003648224.tif 000015